(57)【要約】      （修正有）【課題】軽量化が図れるとともに、コスト安にでき、さらには、色の選択の幅を拡大できてより見栄えするスナップ留め具を提供する。【解決手段】頭部ａとその裏面ｍ中央部から突出し先端側に先細り部Ｓを形成した柱状軸部１ｂとから成るリベット部材１と、柱状軸部に対応する貫通孔Ｈが形成されている雄型嵌合部材２と、貫通孔Ｈに連通する貫通孔ｈが形成されているとともに、雄型嵌合部材が嵌め込み可能な嵌合凹入部Ａを中央部分に有する台部材３とを備え、雄型嵌合部材において、リベット部材の先細り部を、台部材の貫通孔ｈを介して雄型嵌合部材２の貫通孔に挿通させた状態で、先細り部の先端部分を打撃して拡径変形させることにより、雄型嵌合部材２とリベット部材と台部材の３部材を生地４に取り付けるように構成してなるスナップ留め具Ｄにおいて、雄型嵌合部材２およびリベット部材１は、色の選択が可能な熱可塑性合成樹脂製の素材よりなる。【選択図】図１
0003196570.tif 000002
【実用新案登録請求の範囲】
【請求項１】
頭部とその裏面中央部から突出し先端側に先細り部を形成した柱状軸部とから成るリベット部材と、
前記柱状軸部に対応する貫通孔が形成されている雄型嵌合部材または雌型嵌合部材と、  前記貫通孔に連通する貫通孔が形成されているとともに、雄型嵌合部材または雌型嵌合部材が嵌め込み可能な嵌合凹入部を中央部分に有する台部材とを備え、
雄型嵌合部材または雌型嵌合部材において、前記リベット部材の先細り部を、前記台部材の貫通孔を介して前記嵌合部材の貫通孔に挿通させた状態で、前記先細り部の先端部分を打撃して拡径変形させることにより、前記嵌合部材とリベット部材と台部材の３部材を生地に取り付けるように構成してなるスナップ留め具において、
前記嵌合部材およびリベット部材は、色の選択が可能な熱可塑性合成樹脂製の素材よりなることを特徴とするスナップ留め具。
【請求項２】
前記熱可塑性合成樹脂はポリアセタールまたはナイロンである請求項１に記載のスナップ留め具。
【請求項３】
前記台部材は前記嵌合部材およびリベット部材と同一の熱可塑性合成樹脂製の素材よりなる請求項１または請求項２に記載のスナップ留め具。
【考案の詳細な説明】
【技術分野】
【０００１】
本考案は、スナップ留め具に関し、さらに詳しくは、雄型嵌合部材または雌型嵌合部材と、それが嵌め込まれた台部材とリベット部材との三部材を用いて例えば衣服の生地に取り付け可能に構成されたスナップ留め具に関するものである。
【背景技術】
【０００２】
例えばズボンの裾の折返しには、互いに弾性的に嵌合する金属製の雄スナップと金属製の雌スナップの一組の布帛用ホック（スナップ留め具の一例）が縫い付けられている。また、例えば真ちゅうや鉄にクロムメッキまたはニッケルメッキを施した雄スナップおよび雌スナップの一組のスナップボタン（スナップ留め具の一例）が、スポーツウェアやコート等の衣服に用いられている。さらに、特許文献１には、リベット部材と雄型嵌合部材の二部材で構成された雄スナップと、リベット部材と雌型嵌合部材の二部材で構成された雌スナップとを備え、それぞれリベット部材の突起を、生地に突き刺すとともに前記嵌合部材の貫通孔に挿通させ、突起の先端を打撃して拡径変形させることにより、生地を挟んだ状態でリベット部材と嵌合部材をカシメ止めするよう構成されたスナップボタンが開示されている。
【先行技術文献】
【特許文献】
【０００３】
【特許文献１】実用新案登録第３１００２９２号公報
【考案の概要】
【考案が解決しようとする課題】
【０００４】
しかしながら、これらのうち金属製のものは合成樹脂に比べて重たく、メッキを施した場合はより重たくなるといった課題がある。また、メッキを施さなくても金属製の雄スナップ・雌スナップは、製造コストが高いという課題もある。また、前記金属製の雄スナップ・雌スナップは同じ材料（素材）から作られ、色の選択が一色に限られる。
【０００５】
一方、特許文献１の前記二部材は合成樹脂製であることから、ボタンの色として衣服の色にマッチした見栄えがよい色を選択することができるけれども、雄・雌いずれのボタンも最大２色しか色の選択ができず、より見栄えするスナップボタンが望まれていた。
【０００６】
本考案は上述の事柄を考慮に入れてなされたものであり、軽量化が図れるとともに、コスト安にでき、さらには、色の選択の幅を拡大できてより見栄えするスナップ留め具を提供することを目的としている。
【課題を解決するための手段】
【０００７】
上記目的を達成するため、本考案は、頭部とその裏面中央部から突出し先端側に先細り部を形成した柱状軸部とから成るリベット部材と、
前記柱状軸部に対応する貫通孔が形成されている雄型嵌合部材または雌型嵌合部材と、  前記貫通孔に連通する貫通孔が形成されているとともに、雄型嵌合部材または雌型嵌合部材が嵌め込み可能な嵌合凹入部を中央部分に有する台部材とを備え、
雄型嵌合部材または雌型嵌合部材において、前記リベット部材の先細り部を、前記台部材の貫通孔を介して前記嵌合部材の貫通孔に挿通させた状態で、前記先細り部の先端部分を打撃して拡径変形させることにより、前記嵌合部材とリベット部材と台部材の３部材を生地に取り付けるように構成してなるスナップ留め具において、
前記嵌合部材およびリベット部材は、色の選択が可能な熱可塑性合成樹脂製の素材よりなることを特徴とするスナップ留め具（請求項１）を提供する。
【０００８】
また、本考案は、前記熱可塑性合成樹脂はポリアセタールまたはナイロンである請求項１に記載のスナップ留め具（請求項２）を提供する。
【０００９】
さらに、本考案は、前記台部材は前記嵌合部材およびリベット部材と同一の熱可塑性合成樹脂製の素材よりなる請求項１または請求項２に記載のスナップ留め具（請求項３）を提供する。
【００１０】
なお、本件明細書および実用新案登録請求の範囲では、雄型嵌合部材、雌型嵌合部材を総称して「前記嵌合部材」という場合がある。
【考案の効果】
【００１１】
本考案では、例えば雄型嵌合部材およびリベット部材の素材を熱可塑性合成樹脂としたことにより、以下に示す本願特有の作用効果を奏する。（１）金属製の雄スナップを用いる従来技術に比べて軽量化が図れる。（２）前記雄型嵌合部材およびリベット部材は共に単一の射出成型品となり、防錆用のメッキやカラー塗装が不要で、金型内面形状を変更するだけでよく、金属製の雄スナップを製造する従来技術の場合に比べて、製造能率を向上できるとともに、製造コストを安価にできる。（３）材料樹脂の色の選択だけで、色違いの前記雄型嵌合部材およびリベット部材を製造することが容易である。すなわち、前記雄型嵌合部材と前記リベット部材で異なる色の選択ができる上に、もう一つの構成部材である台部材に、これらの色とは異なる色を選択することによって、最大３色の色の選択が可能なスナップ留め具を得るようにでき、それによって、色の選択の幅を、従来技術に比べて拡大できてより見栄えするスナップ留め具を提供することができる。例えばボタンの色として衣服の色にマッチした見栄えがよい３色を選択することができ、また、金型内面形状を変更するだけでよいことから、例えばリベット部材の頭部の表面に文字や図形などの凹凸模様を付けることが可能であり、飾りボタンとしてのデザイン性をさらに向上させることができ、従来品よりも消費者の購買意欲をかきたてることに貢献できる。雌型についても同様の作用効果を奏する。
【図面の簡単な説明】
【００１２】
【図１】本考案の第１の実施形態を説明するための概略構成説明図である。
【図２】上記実施形態で用いる台部材を示す平面図である。
【図３】（Ａ）は、図１において示した雄型嵌合部材の詳細を示す平面図である。（Ｂ）は、図３（Ａ）におけるＢ−Ｂ線断面図である。（Ｃ）は、前記雄型嵌合部材を示す斜視図である。
【図４】本考案の第２の実施形態を説明するための概略構成説明図である。
【図５】（Ａ）は、図４において示した雌型嵌合部材の詳細を示す平面図である。（Ｂ）は、図５（Ａ）におけるＤ−Ｄ線断面図である。（Ｃ）は、前記雌型嵌合部材を示す斜視図である。
【考案を実施するための形態】
【００１３】
図１〜図３は、雄型嵌合部材とリベット部材と台部材の３部材を生地に取り付けるように構成してなるスナップ留め具を示す本考案の第１の実施形態を示す。
【００１４】
図１〜図３において、スナップ留め具Ｄは、リベット部材１と、雄型嵌合部材２と、台部材３の三部材を備えている。リベット部材１は、頭部１ａとその裏面ｍ中央部から突出し先端側に先細り部Ｓを形成した柱状軸部１ｂとから成る。雄型嵌合部材２には、柱状軸部１ｂに対応する貫通孔Ｈが形成されている。台部材３は、前記貫通孔Ｈに連通する貫通孔ｈが形成されているとともに、雄型嵌合部材２が嵌め込み可能な嵌合凹入部Ａを中央部分に有している。６は、台部材３の外周部３ａを構成する座である。そして、台部材３の外周部３ａにダミー体としての複数の縫い付け用の穴５を設けている。なお、縫い付け用の穴５を設けない場合もある。
【００１５】
以下、本考案の特徴的構成について説明する。
【００１６】
雄型嵌合部材２およびリベット部材１は、色の選択が可能な熱可塑性合成樹脂製の素材（材料）よりなる単一の射出成形品である。この実施形態では、熱可塑性合成樹脂としてポリアセタールを用いており、衣服の色にマッチした色のものが用いられる。そのカラーバリエーションは多彩で、例えば白、黒、ローズ、サックス、グレー、ピンク、エンジ、カラシ、濃紺、モスグリーン、ベージュ、濃グレー、茶等といったものを挙げることができる。熱可塑性合成樹脂としてナイロン等を用いてもよい。なお、台部材３を、雄型嵌合部材２、リベット部材１と同一の熱可塑性合成樹脂製の素材より構成することにより、色の選択の幅をさらに拡大することができる。
【００１７】
この実施形態では、台部材３は金属で構成されており、真鍮台、亜鉛台等を挙げることができる。台部材３としての例えば真鍮台は、例えばプレス盤で真鍮板を曲げることにより座６を形成するだけの簡単な作業で、安価に作製することができる。また、熱可塑性合成樹脂製のリベット部材１および雄型嵌合部材２の両部材も単一の射出成型品であることから、安価に作製することができ、両部材１，２は真鍮台３も含めて量産化が可能である。
【００１８】
而して、リベット部材１の、カシメ用突起としての先細り部Ｓを、生地４の一方面側から突き刺し、先細り部Ｓを台部材１の貫通孔ｈを介して雄型嵌合部材２の貫通孔Ｈに挿通させた状態で、先細り部Ｓの先端部分を打撃して図１に点線で示すように、拡径変形させてその先端部Ｓ’をかしめ止めすることにより、真鍮台３を介して雄型嵌合部材２を生地４に取り付け、例えばスナップボタンやスナップファスナ等のスナップ留め具Ｄを構成することができる。
【００１９】
なお、この実施形態では、生地４に縫い付けることなく生地４に取り付けられた状態のスナップ留め具Ｄを示したが、本考案は、後ほど生地４に縫い付けるよう構成されたスナップ留め具Ｄを含む。後で生地４に縫い付けるよう構成されるスナップ留め具Ｄは、例えば、生地４のない状態で、直接、先細り部Ｓを台部材１の貫通孔ｈを介して雄型嵌合部材２の貫通孔Ｈに挿通させ、先細り部Ｓの先端部分を打撃してその先端部Ｓ’をかしめ止めすることにより、真鍮台３の嵌合凹入部Ａ内に雄型嵌合部材２を抜け止めして形成される。そして、このスナップ留め具Ｄは、後程、台部材３の外周面３ａに形成された縫い付け用の穴５に例えば糸を通して生地４に取り付けられる。
【００２０】
図３は、雄型嵌合部材２を示している。雄型嵌合部材２は、平面視円形で互いに同心状の内外二つの環状突部７，８を有している。そして、内側環状突部７は、リベット部材１のかしめられた先端部Ｓ’が位置する凹入部９を備えており、前記貫通孔Ｈは、この凹入部９に連通するようベース部６を貫通している。また、内側環状突部７は、上縁部分７ａに複数の切欠Ｐを有する。１１は、リベット部材１のかしめられた先端部Ｓ’が当接する環状面である。また、外側環状突部８は、下側から上側に向かって外径が徐々に小さくなる傾斜面が形成された外周面ｎを有している。そして、図１に示すように、雄型嵌合部材２が嵌合凹入部Ａに嵌め込まれた状態では、雄型嵌合部材２が弾性変形する。すなわち、弾性変形により、嵌合凹入部Ａを形成する垂直状態の内周面ａに外側環状突部８の外周面ｎが押圧された状態で当接するとともに、切欠Ｐが狭くなるよう内側環状突部７も弾性変形する。
【００２１】
図４、図５は、雌型嵌合部材とリベット部材と台部材の３部材を生地に取り付けるように構成してなるスナップ留め具を示す本考案の第２の実施形態を示す。また、図４、図５において、図１〜図３で用いた符号と同一のものは、同一または相当物である。
【００２２】
図４、図５において、スナップ留め具Ｄ’は、リベット部材１と、雌型嵌合部材２’と、台部材３の３部材を備えている。リベット部材１は、頭部１ａとその裏面ｍ中央部から突出し先端側に先細り部Ｓ’’を形成した柱状軸部１ｂとから成る。雌型嵌合部材２’には、柱状軸部１ｂに対応する貫通孔Ｈが形成されている。台部材３は、前記貫通孔Ｈに連通する貫通孔ｈが形成されているとともに、雌型嵌合部材２’が嵌め込み可能な嵌合凹入部Ａを中央部分に有している。６は、台部材３の外周部３ａを構成する座である。そして、台部材３の外周部３ａにダミー体としての複数の縫い付け用の穴５（図２参照）を設けている。
【００２３】
雌型嵌合部材２’およびリベット部材１は、色の選択が可能な熱可塑性合成樹脂製の素材（材料）よりなる単一の射出成形品である。この実施形態では、熱可塑性合成樹脂としてポリアセタールを用いており、衣服の色にマッチした色のものが用いられる。そのカラーバリエーションは多彩で、例えば白、黒、ローズ、サックス、グレー、ピンク、エンジ、カラシ、濃紺、モスグリーン、ベージュ、濃グレー、茶等といったものを挙げることができる。熱可塑性合成樹脂としてナイロン等を用いてもよい。なお、台部材３を、雌型嵌合部材２’、リベット部材１と同一の熱可塑性合成樹脂製の素材より構成することにより、色の選択の幅をさらに拡大することができる。
【００２４】
この実施形態では、台部材３は金属で構成されており、真鍮台、亜鉛台等を挙げることができる。台部材３としての例えば真鍮台は、例えばプレス盤で真鍮板を曲げることにより座６を形成するだけの簡単な作業で、安価に作製することができる。また、熱可塑性合成樹脂製のリベット部材１および雌型嵌合部材２’の両部材も単一の射出成型品であることから、安価に作製することができ、両部材１，２’は真鍮台３も含めて量産化が可能である。
【００２５】
而して、リベット部材１の、カシメ用突起としての先細り部Ｓ’’を、生地４の一方面側から突き刺し、先細り部Ｓ’’を台部材１の貫通孔ｈを介して雌型嵌合部材２’の貫通孔Ｈに挿通させた状態で、先細り部Ｓ’’の先端部分を打撃して図４に点線で示すように、拡径変形させてその先端部Ｓ’’’をかしめ止めすることにより、真鍮台３を介して雌型嵌合部材２’を生地４に取り付け、例えばスナップボタンやスナップファスナ等のスナップ留め具Ｄ’を構成することができる。
【００２６】
図５は、雌型嵌合部材２’を示している。雌型嵌合部材２’は、平面視円形の底面部７’と、底面部７’から外方側に連設されたリング状で縦断面逆Ｕ字形の外周部８’とから主として構成されている。そして、雌型嵌合部材２’は、リベット部材１のかしめられた先端部Ｓ’’’が位置する凹入部９’を備えており、貫通孔Ｈは、この凹入部９’に連通するよう底面部７’を貫通している。１１’は、リベット部材１のかしめられた先端部Ｓ’’’が当接する環状面である。また、外周部８’の外径は、前記嵌合凹入部Ａの内径よりも大きく設定されている。図４において、雌型嵌合部材２’が嵌合凹入部Ａに嵌め込まれた状態では、雌型嵌合部材２’が弾性変形する。すなわち、弾性変形により、嵌合凹入部Ａを形成する垂直状態の内周面ａに外周部８’の外周面ｎ’が押圧された状態で当接する。
【００２７】
そして、図１の雄型嵌合部材２と図４の雌型嵌合部材２’が嵌合されるようになっている。すなわち、図３（Ｂ）の内側環状突部７の上端部分に形成された環状係合突起Ｑが、図５（Ｂ）の外周部８’の最内周面ｑの上端部分に形成された環状係合突起Ｑ’にスナップ的に係合することにより、雄型嵌合部材２と雌型嵌合部材２’が嵌合する。
【符号の説明】
【００２８】
１          リベット部材と、
１ａ        頭部
１ｂ        柱状軸部
２          雄型嵌合部材
３          台部材
ｍ          裏面
Ｓ          先細り部
Ｈ，ｈ      貫通孔
Ａ          嵌合凹入部
Ｄ          スナップ留め具
【図１】
0003196570.tif 000003
【図２】
0003196570.tif 000004
【図３】
0003196570.tif 000005
【図４】
0003196570.tif 000006
【図５】
0003196570.tif 000007